(57)【要約】【課題】  コンテンツ出力装置側で行われたリモコン操作による制御情報を、比較的簡便な構成により効率よくコンテンツ提供装置に送信させることができるデータ伝送システムを提供する。【解決手段】コンテンツ提供装置に接続された第１送受信装置（例えば、サーバ機器）と、コンテンツ出力装置に接続された第２送受信装置（例えば、クライアント機器）と、が無線伝送路を介して接続されてなるデータ伝送システムにおいて、リモコン信号から得られたリモコン信号波形を所定の周波数（例えば、１０／ｍｓｅｃ）でサンプリングして第１サンプリング情報を取得し、この第１サンプリング情報に基づいてリモコン信号波形のハイレベル「１」及びロウレベル「０」のパルス幅に対応するサンプリング数を検出し、検出されたサンプリング数を所定の情報量（例えば１バイト）で表現した第２サンプリング情報を生成し、この第２サンプリング情報を制御情報としてクライアント機器からサーバ機器に送信するようにした。【選択図】  図４
2008035018.tif 000002
【特許請求の範囲】
【請求項１】
記録媒体からコンテンツ情報を読み出しコンテンツ出力装置に提供するコンテンツ提供装置に接続された第１送受信装置と、提供されたコンテンツ情報に基づいてコンテンツを再生可能なコンテンツ出力装置に接続された第２送受信装置と、が無線伝送路を介して接続されてなるデータ伝送システムにおいて、
前記第２送受信装置は、
前記コンテンツ提供装置を制御するリモコン信号を受光するリモコン信号受光部と、前記リモコン信号を検波してリモコンコードを表すリモコン信号波形を取得するリモコン信号波形取得手段と、前記リモコン信号波形を所定の周波数でサンプリングして第１サンプリング情報を取得するサンプリング情報取得手段と、前記第１サンプリング情報に基づいて、リモコン信号波形のハイレベル「１」及びロウレベル「０」のパルス幅に対応するサンプリング数を検出し、前記検出されたサンプリング数を１バイトで表現した第２サンプリング情報を生成するサンプリング情報変換手段と、前記第２サンプリング情報を前記第１送受信装置に送信可能な送信装置と、を備え、
前記第１送受信装置は、
前記第２送受信装置から送信された第２サンプリング情報を受信可能な受信装置と、前記第２サンプリング情報から前記第１サンプリング情報を復元するサンプリング情報復元手段と、前記第１サンプリング情報から前記リモコン信号波形を復元するリモコン信号波形復元手段と、前記リモコン信号波形復元手段により復元されたリモコン信号波形からリモコン信号を生成するリモコン信号生成手段と、前記リモコン信号を前記コンテンツ提供装置に送信するリモコン信号送信手段と、を備えることを特徴とするデータ伝送システム。
【請求項２】
記録媒体からコンテンツ情報を読み出しコンテンツ出力装置に提供するコンテンツ提供装置に接続された第１送受信装置と、提供されたコンテンツ情報に基づいてコンテンツを再生可能なコンテンツ出力装置に接続された第２送受信装置と、が無線伝送路を介して接続されてなるデータ伝送システムにおいて、
前記第２送受信装置は、
前記コンテンツ提供装置を制御するリモコン信号を受光するリモコン信号受光部と、
前記リモコン信号を検波してリモコン信号波形を取得するリモコン信号波形取得手段と、
前記リモコン信号波形を所定の周波数でサンプリングして第１サンプリング情報を取得するサンプリング情報取得手段と、
前記第１サンプリング情報に基づいて、リモコン信号波形のハイレベル「１」及びロウレベル「０」のパルス幅に対応するサンプリング数を検出し、前記検出されたサンプリング数を１バイトで表現した第２サンプリング情報を生成するサンプリング情報変換手段と、
前記第２サンプリング情報を前記第１送受信装置に送信可能な送信装置と、を備え、
前記第１送受信装置は、
前記第２送受信装置から送信された第２サンプリング情報を受信可能な受信装置と、
前記第２サンプリング情報から前記第１サンプリング情報を復元するサンプリング情報復元手段と、
前記第１サンプリング情報に基づいて前記コンテンツ提供手段を制御可能なリモコンコードを生成するリモコンコード生成手段と、を備えることを特徴とするデータ伝送システム。
【請求項３】
前記第１送受信装置は、
前記第１サンプリング情報から前記リモコン信号波形を復元するリモコン信号波形復元手段と、
前記リモコン信号波形復元手段により復元されたリモコン信号波形からリモコン信号を生成するリモコン信号生成手段と、
前記リモコン信号を前記コンテンツ提供装置に送信するリモコン信号送信手段と、を有することを特徴とする請求項２に記載のデータ伝送システム。
【請求項４】
前記サンプリング情報変換手段は、前記検出されたサンプリング数を１バイトで表現した第２サンプリング情報を生成することを特徴とする請求項２又は３に記載のデータ伝送システム。
【発明の詳細な説明】
【技術分野】
【０００１】
本発明は、コンテンツ提供装置（例えば、ＤＶＤプレイヤー）とコンテンツ出力装置（例えば、液晶ディスプレイ）とが無線通信を介して接続されてなり、ＤＶＤ（Digital Versatile Disk）等の記録メディアに記録されているコンテンツ情報（映像情報および音声情報）を再生可能なデータ伝送システムに関し、特に、コンテンツ出力装置側で入力されたリモコン信号によりコンテンツ提供装置の動作を制御可能なデータ伝送システムに関する。
【背景技術】
【０００２】
近年、ＤＶＤプレイヤー等のコンテンツ提供装置と液晶ディスプレイ等のコンテンツ出力装置とを備え、コンテンツ提供装置において読み出されたコンテンツを、無線通信を介してコンテンツ出力装置で再生させるようにしたデータ伝送システムが提案されている。例えば、コンテンツ提供装置が接続されたサーバ機器と、コンテンツ出力装置が接続されたクライアント機器とが、無線通信によって接続され構成される。無線通信の一つである無線ＬＡＮの代表的な技術としては、ＩＥＥＥにおいて標準化されているＩＥＥＥ８０２．１１があり、２．４ＧＨｚ帯を使用するものが主流となっている。
【０００３】
このような無線ＬＡＮを利用したデータ伝送システムにより、コンテンツ提供装置とコンテンツ出力装置とを離れた場所に設置することが可能となるので、利便性が格段に向上する。また、離れた場所に設置されているコンテンツ提供装置を遠隔操作できるように、視聴者がコンテンツ出力装置側でリモコン操作を行うと、これに基づいて制御情報がクライアント機器からサーバ機器に送信され、この制御情報によりコンテンツ提供装置におけるコンテンツの再生や停止等の動作が制御されるように構成されている。
【０００４】
具体的には、クライアント機器では、リモコンから送信されたリモコン信号（赤外線信号）がリモコン信号波形に変換される。そして、そのリモコン信号波形が特定の周波数（例えば、１０／ｍｓｅｃ）によりサンプリングされ、取得されたサンプリング情報が制御情報としてサーバ機器に送信される。一方、サーバ機器では、前記サンプリング情報に基づいてリモコン信号波形が復元され、このリモコン信号波形からリモコン信号（赤外線信号）が生成される。そして、ＩＲブラスタ等の赤外線発光手段を介してリモコン信号がコンテンツ提供装置に送信される。このような手法により、さまざまなフォーマットのリモコンコードに対応することができる。
【０００５】
しかし、コンテンツ出力装置側（例えば、クライアント機器）からコンテンツ提供装置側（例えば、サーバ機器）に伝送されるサンプリング情報が大きくなると、コンテンツ出力装置とコンテンツ提供装置の間で送受信可能なデータ量が圧迫されるため、画質が劣化する等、コンテンツ情報の送受信に問題が生じるおそれがある。
【０００６】
そこで、このような問題を解決するために、コンテンツ出力装置側において受信したリモコン信号（赤外線信号）を、効率よくコンテンツ提供装置側に送信する技術が提案されている（例えば、特許文献１〜３）。
【特許文献１】特開２００５−２７７９４２号公報
【特許文献２】特開２００５−２５２９８７号公報
【特許文献３】特開２００４−２８２２５９号公報
【発明の開示】
【発明が解決しようとする課題】
【０００７】
本発明は、コンテンツ提供装置に接続されたサーバ機器と、コンテンツ出力装置に接続されたクライアント機器とが無線伝送路を介して接続されてなり、ＤＶＤ等の記録メディアに記録されているコンテンツ情報を再生可能なデータ伝送システムであって、コンテンツ出力装置側で行われたリモコン操作による制御情報を、比較的簡便な構成により効率よくコンテンツ提供装置に送信させることのできるデータ伝送システムを提供することを目的とする。
【課題を解決するための手段】
【０００８】
本発明は、上記課題を解決するためになされたものであり、記録媒体からコンテンツ情報を読み出しコンテンツ出力装置に提供するコンテンツ提供装置（例えば、ＤＶＤプレイヤー等）に接続された第１送受信装置（例えば、サーバ機器）と、提供されたコンテンツ情報に基づいてコンテンツを再生可能なコンテンツ出力装置（例えば、液晶ディスプレイ）に接続された第２送受信装置（例えば、クライアント機器）と、が無線伝送路を介して接続されてなるデータ伝送システムにおいて、前記第２送受信装置は、前記コンテンツ提供装置を制御するリモコン信号（赤外線信号）を受光するリモコン信号受光部と、前記リモコン信号を検波してリモコンコードを表すリモコン信号波形を取得するリモコン信号波形取得手段と、前記リモコン信号波形を所定の周波数（例えば、１０／ｍｓｅｃ）でサンプリングして第１サンプリング情報を取得するサンプリング情報取得手段と、前記第１サンプリング情報に基づいて、リモコン信号波形のハイレベル「１」及びロウレベル「０」のパルス幅に対応するサンプリング数を検出し、前記検出されたサンプリング数を１バイトで表現した第２サンプリング情報を生成するサンプリング情報変換手段と、前記第２サンプリング情報を前記第１送受信装置に送信可能な送信装置と、を備え、前記第１送受信装置は、前記第２送受信装置から送信された第２サンプリング情報を受信可能な受信装置と、前記第２サンプリング情報から前記第１サンプリング情報を復元するサンプリング情報復元手段と、前記第１サンプリング情報に基づいて前記コンテンツ提供手段を制御可能なリモコンコードを生成するリモコンコード生成手段と、を備えることを特徴とする。
【０００９】
また、前記第１送受信装置は、前記第１サンプリング情報から前記リモコン信号波形を復元するリモコン信号波形復元手段と、前記リモコン信号波形復元手段により復元されたリモコン信号波形からリモコン信号を生成するリモコン信号生成手段と、前記リモコン信号を前記コンテンツ提供装置に送信するリモコン信号送信手段と、を有するようにしてもよい。これにより、容易かつ確実に元のリモコン信号（赤外線信号）を生成し、発光させることができるので、サーバ機器に設けられたＩＲブラスタを利用してコンテンツ提供装置を制御する場合に有効である。
【００１０】
また、前記サンプリング情報変換手段は、前記検出されたサンプリング数を１バイトで表現した第２サンプリング情報を生成するようにした。これにより、演算処理が容易になるとともに、サンプリング周波数を、例えば、１０／ｍｓｅｃとすれば、現存する全てのリモコンコードのフォーマットに対応できると考えられる。
【発明の効果】
【００１１】
本発明によれば、リモコン信号（赤外線信号）を検波して得られるリモコン信号波形を所定の周波数でサンプリングしたサンプリング情報をそのままサーバ機器に送信していた従来技術に比べ、伝送される制御情報（第２サンプリング情報）のデータ量は格段に小さくなるので、コンテンツ情報の送受信に悪影響を与える可能性が低くなり、高品質のデータ伝送を実現可能となる。
【発明を実施するための最良の形態】
【００１２】
以下、本発明の好適な実施の形態を図面に基づいて説明する。
図１は、本実施形態のデータ伝送システム１００の概略構成図である。
本実施形態に係るデータ伝送システム１００は、映像データ及び音声データを含むコンテンツ（アナログデータ又はディジタルデータ）を提供するコンテンツ提供装置１０と、サーバ機器２０と、クライアント機器３０と、液晶モニタやスピーカ等の出力装置４０と、で構成される。いわゆる、ＡＶ系のホームネットワークシステムである。
【００１３】
ここで、コンテンツ提供装置１０は、例えば、ＤＶＤ／ＨＤＤレコーダ、ビデオテープレコーダ、アナログテレビジョン放送やディジタルテレビジョン放送の受信機等に相当する。また、コンテンツ出力装置４０は、例えば、液晶ディスプレイやスピーカ等に相当する。
【００１４】
本実施形態のデータ伝送システム１００では、例えば、コンテンツ提供装置１０とサーバ機器２０、及びクライアント機器３０とコンテンツ出力装置４０はＩＥＥＥ１３９４準拠のケーブル等で接続され、サーバ機器２０とクライアント機器３０間はＩＥＥＥ８０２．１１ｇに基づく無線ＬＡＮを利用してデータ伝送を行う。
【００１５】
また、離れた場所に設置されているコンテンツ提供装置１０を遠隔操作できるように、リモコン３０８からクライアント機器３０に入力されたリモコン信号（赤外線信号）により、コンテンツ提供装置１０の動作を制御できるようにされている。つまり、視聴者がコンテンツ出力装置４０側でリモコン操作を行うと、これに基づいて制御情報（第２サンプリング情報）がクライアント機器３０からサーバ機器２０に送信され、サーバ機器２０で受信した制御情報に基づいて生成されたリモコン信号（赤外線信号）がコンテンツ提供装置１０に送信されて、コンテンツ提供装置１０におけるコンテンツの再生や停止等の動作が制御される。
【００１６】
図２は、サーバ機器２０の概略構成図である。図２に示すように、サーバ機器２０は、Ａ／Ｄ変換部２０１と、ＭＰＥＧエンコーダ２０２と、送信側バッファ２０３と、無線ＬＡＮ通信部２０４と、アンテナ２０５と、赤外線発光部２０６と、サーバ制御部２０７と、を有し、コンテンツ提供装置１０から供給されたＡＶデータを例えばＭＰＥＧ２準拠のディジタルデータ形式に変換して、変換したコンテンツ情報をクライアント機器３０に送信する。
【００１７】
Ａ／Ｄ変換部２０１は、コンテンツ提供装置１０から送信されたアナログのＡＶデータをディジタルデータに変換する。ＭＰＥＧエンコーダ２０２は、Ａ／Ｄ変換部２０１から供給されたディジタルＡＶデータをＭＰＥＧ２方式に従い圧縮符号化する。
【００１８】
なお、コンテンツ提供装置１０から供給されるＡＶデータが、既にディジタルＡＶデータである場合は、Ａ／Ｄ変換部２０１及びＭＰＥＧエンコーダ２０２は使用されない。
【００１９】
送信側バッファ２０３は、供給されたディジタルＡＶデータを格納する。無線ＬＡＮ通信部２０４は、送信側バッファ２０３から出力されたディジタルＡＶデータに対してプロトコル処理及び変復調処理を行い、無線通信により送信可能なコンテンツ情報を生成し、アンテナ２０５を介してクライアント機器３０に送信する。また、無線ＬＡＮ通信部２０４は、クライアント機器３０からの制御情報（第２サンプリング情報）を受信可能に構成される。
【００２０】
赤外線発光部２０６は、サーバ機器２０に接続されているコンテンツ提供装置１０に対してリモコン信号を送信可能に構成される。なお、赤外線発光部２０６は、サーバ機器本体からコードを介して延設される構成とし、発光部の位置を比較的自在に変更できるようにするのが望ましい（いわゆる、ＩＲブラスタ）。
【００２１】
サーバ制御部２０７は、図示しないＣＰＵと、ＲＡＭと、ＲＯＭと、で構成される。ＲＯＭには、各種制御プログラムが格納されており、ＣＰＵはＲＡＭを作業領域として利用しつつ、ＲＯＭ内の制御プログラムに従って動作する。
【００２２】
例えば、サーバ制御部２０７は、クライアント機器３０から送信された制御情報（第２サンプリング情報）から第１サンプリング情報を復元し、この第１サンプリング情報に基づいてリモコン信号波形を生成する（サンプリング情報復元手段、リモコン信号波形復元手段）。また、復元したリモコン信号波形を赤外線信号に変換して赤外線発光部２０６によりコンテンツ提供装置１０に送信させる。
【００２３】
図３は、クライアント機器３０の概略構成図である。図３に示すように、クライアント機器３０は、アンテナ３０１と、無線ＬＡＮ通信部３０２と、受信側バッファ３０３と、ＭＰＥＧデコーダ３０４と、Ｄ／Ａ変換部３０５と、赤外線受光部３０６と、クライアント制御部３０７と、を有し、サーバ機器２０から送信されたコンテンツ情報を受信し、コンテンツ出力装置４０に出力する。
【００２４】
無線ＬＡＮ通信部３０２は、サーバ機器２０から無線通信により送信されたコンテンツ情報を、アンテナ３０１を介して受信し、受信したコンテンツ情報に対してプロトコル処理及び変復調処理を行い、ディジタルＡＶデータを生成する。また、無線ＬＡＮ通信部３０２は、サーバ機器２０に制御情報（第２サンプリング情報）を送信可能に構成される。受信側バッファ３０３は、無線ＬＡＮ通信部３０２から供給されたディジタルＡＶデータを順次格納する。
【００２５】
ＭＰＥＧデコーダ３０４は、受信側バッファ３０３から供給されたディジタルＡＶデータを伸張復号化する。Ｄ／Ａ変換部３０６は、ＭＰＥＧデコーダ３０４から供給されたディジタルＡＶデータをアナログＡＶデータに変換し、コンテンツ出力装置４０に出力する。なお、コンテンツ出力装置４０が、ディジタルＡＶデータを再生可能な場合は、ＭＰＥＧデコーダ３０４及びＤ／Ａ変換部３０５は使用されない。
【００２６】
赤外線受光部３０８は、リモコン３０８からのリモコン信号（赤外線信号）を受信可能に構成される。
【００２７】
クライアント制御部３０７は、図示しないＣＰＵと、ＲＡＭと、ＲＯＭと、で構成される。ＲＯＭには、各種制御プログラムが格納されており、ＣＰＵはＲＡＭを作業領域として利用しつつ、ＲＯＭ内の制御プログラムに従って動作する。
【００２８】
例えば、リモコン３０８からのリモコン信号（赤外線信号）が赤外線受光部３０６で受信され入力されると、クライアント制御部３０７は、リモコン信号を検波してリモコン信号波形を取得し（リモコン信号波形取得手段）、リモコン信号波形を所定の周波数（例えば、１０／ｍｓｅｃ）でサンプリングして第１サンプリング情報を取得する（サンプリング情報取得手段）。さらに、クライアント制御部３０７は、第１サンプリング情報に基づいて、リモコン信号波形のハイレベル「１」及びロウレベル「０」のパルス幅に対応するサンプリング数を検出し、検出されたサンプリング数を所定の情報量で表現した第２サンプリング情報を生成し（サンプリング情報変換手段）、この第２サンプリング情報を制御情報として無線ＬＡＮ通信部３０２によりサーバ機器２０に送信させる。
【００２９】
上述したように、本実施形態に係るデータ伝送システム１００では、クライアント機器３０で受信したリモコン信号を所定形式の制御情報（第２サンプリング情報）に変換して、サーバ機器２０に送信するようにしている。
【００３０】
図４，５を参照して、リモコン信号の変換処理について具体的に説明する。
図４は、リモコン信号（赤外線信号）を検波して取得されるリモコン信号波形と、該リモコン信号波形を所定の周波数でサンプリングしたときに得られるサンプリング情報（第１サンプリング情報）の説明図である。
【００３１】
このリモコン信号波形は、リモコンコードのスタートを示すヘッドパルスと、当該リモコン信号で制御される対象の機器や製造メーカを示すカスタムコード（１６ビット）と、リモコン信号による制御内容を示すデータコード（８ビット）と、エラー検出用コード（８ビット）を含み、例えば、１０８ｍｓｅｃのパルス信号で構成される。
【００３２】
まず、赤外線受光部３０６で受信したリモコン信号（赤外線信号）を検波すると、図４に示すリモコン信号波形が取得される。そして、クライアント制御部３０７は、所定の周波数（例えば、１０／ｍｓｅｃ）でリモコン信号波形のレベルをサンプリングして、第１サンプリング情報を取得する（サンプリング情報取得手段）。なお、第１サンプリング情報に基づいて、コンテンツ提供装置１０の動作を制御可能なリモコンコードが生成される。
【００３３】
従来のデータ伝送システムでは、この第１サンプリング情報をそのままサーバ機器２０に送信していたので、情報量が比較的大きくなっていた。例えば、リモコン信号波形が１０８ｍｓｅｃのパルス信号波形で構成される場合、これを０．１ｍｓｅｃ毎にサンプリングすると、サンプリング情報は１０８０ビット（１３５バイト）の情報量となる。
【００３４】
図５は、第１サンプリング情報から第２サンプリング情報への変換処理について示した説明図である。
すなわち、図４に示すリモコン信号波形は、ハイレベル「１」とロウレベル「０」が交互に出現するパルス信号波であり、そのパルス幅は、Ｈｉｇｈ１（Ｈ１）が９ｍｓｅｃ、Ｌｏｗ１（Ｌ１）が４．５ｍｓｅｃ、Ｈｉｇｈ２（Ｈ２）が６ｍｓｅｃ、・・となっている。したがって、このリモコン信号波形を１０／ｍｓｅｃの周波数でサンプリングすると、それぞれのレベルを示すサンプリング数は、９０，４５，６，・・となる。これを１バイトで表現すると、それぞれ「０１０１１０１０」、「００１０１１０１」、「０００００１１０」、・・となる。
【００３５】
つまり、図４に示すリモコン信号波形において、ハイレベルからロウレベルへの切り換えが１回のヘッドパルスは２バイトで表現でき、ハイレベルからロウレベル或いはロウレベルからハイレベルへの切り換えが１６回（１６ビット）のカスタムコードは３２バイトで表現できる。また、データコード、エラー検出用コードは、それぞれ１６バイトで表現できる。したがって、リモコン信号波形の始端と終端を示す部分を含めると、第１サンプリング情報を変換した第２サンプリング情報は６７バイトで表現できることになり、情報量は第１サンプリング情報（１３５バイト）の約半分に低減される。
【００３６】
第２サンプリング情報はこのようにして生成され、この第２サンプリング情報が制御情報としてサーバ機器２０に送信される。
【００３７】
一方、サーバ機器２０では、受信した第２サンプリング情報から第１サンプリング情報を復元し、さらに、第１サンプリング情報からリモコン信号波形を復元する。そして、このリモコン信号波形をリモコン信号（赤外線信号）に変換し、ＩＲブラスタ等の赤外線発光部２０６を介してコンテンツ提供装置１０に送信することで、コンテンツ提供装置１０の動作を制御することができる。
【００３８】
このように、本実施形態では、第１サンプリング情報に基づいて、リモコン信号波形のハイレベル「１」及びロウレベル「０」のパルス幅に対応するサンプリング数を検出し、検出されたサンプリング数を所定の情報量（例えば、１バイト）で表現した第２サンプリング情報を生成し（サンプリング情報変換手段）、これを制御情報としてサーバ機器２０に送信するようにしたので、伝送される制御情報のデータ量は格段に小さくなる。したがって、制御情報の送受信が、コンテンツ情報の送受信に悪影響を与える可能性は低くなるので、高品質のデータ伝送が実現される。
【００３９】
また、上記実施形態では、１０８ｍｓｅｃのパルス信号で構成されるリモコンコードについて説明したが、この場合、第１サンプリング周波数の情報量は１３５バイトとなるので、１０８ｍｓｅｃ以内に１３５回以上の切り替わりが発生しなければ、情報量の低減が実現されることになる。つまり、１０８ｍｓｅｃ以内に１３５回以上の切り替わりが発生しないリモコンコードについて本発明を適用することができる。
【００４０】
さらに、１つのハイレベル又はロウレベルを示すパルス幅が０〜２５．５ｍｓｅｃ以内であれば１バイトで表現できるので、第２サンプリング情報に変換して制御情報として送信することが可能である。なお、リモコンコードの実用性を考慮すると、１つのハイレベル又はロウレベルを示すパルス幅は０〜２５．５ｍｓｅｃ以内になるものと考えられる。
【００４１】
以上、本発明者によってなされた発明を実施形態に基づいて具体的に説明したが、本発明は上記実施形態に限定されるものではなく、その要旨を逸脱しない範囲で変更可能である。
【００４２】
例えば、上記実施形態では、サーバ機器２０では、受信した第２サンプリング情報に基づいてリモコン信号（赤外線信号）を生成し、ＩＲブラスタ等の赤外線発光部２０６を介してコンテンツ提供装置１０に送信するようにしているが、第２サンプリング情報から復元された第１サンプリング情報からリモコンコードを取得し、制御信号を送信可能な伝送路によりこのリモコンコードをコンテンツ提供装置１０に送信するようにしてもよい。
【００４３】
また、上記実施形態では、ＩＥＥＥ８０２．１１ｇで規定された２．４ＧＨｚ帯の無線ＬＡＮを利用してホームネットワークシステムを構築した例について説明したが、その他の無線伝送技術を利用したホームネットワークシステムにも適用することもできる。例えば、ＩＥＥＥ８０２．１１ａで規定された５．２ＧＨｚ帯の無線ＬＡＮやＩＥＥＥ８０２．１１ｂで規定された２．４ＧＨｚ帯の無線ＬＡＮ等がある。
【００４４】
また、上記実施形態において、サーバ機器２０とコンテンツ提供装置１０を一体的に構成してもよいし、クライアント機器３０と出力装置４０を一体的に構成してもよい。
【００４５】
さらに、上記実施形態では、サーバ機器２０とクライアント機器３０とが１対１で設けられた構成としたが、複数のクライアント機器３０をサーバ機器２０と接続したデータ伝送システムを構成することもできる。
【図面の簡単な説明】
【００４６】
【図１】本実施形態のデータ伝送システムの概略構成図である。
【図２】サーバ機器２０の概略構成図である。
【図３】クライアント機器３０の概略構成図である。
【図４】リモコン信号（赤外線信号）を検波して取得されるリモコン信号波形と、該リモコン信号波形を所定の周波数でサンプリングしたときに得られるサンプリング情報について示した説明図である。
【図５】第１サンプリング情報から第２サンプリング情報への変換処理について示した説明図である。
【符号の説明】
【００４７】
１０  コンテンツ提供装置
２０  サーバ機器
２０６  赤外線発光部
３０  クライアント機器
３０６  赤外線受光部
４０  コンテンツ出力装置
１００  データ伝送システム
【図１】
2008035018.tif 000003
【図２】
2008035018.tif 000004
【図３】
2008035018.tif 000005
【図４】
2008035018.tif 000006
【図５】
2008035018.tif 000007